(57)【要約】      （修正有）【課題】コンクリート打設用ホースを頻繁に移動してもホース移動用器具の座板部の摩耗が少なく、寿命が長く経済的なコンクリート打設用ホースの移動器具を提供する。【解決手段】上部にコンクリート打設用ホース３０を収納するための収納凹部を有し所要高さにコンクリート打設用ホースを保持する枠体２と、枠体の基台部４の下側面に敷設され鉄筋２０に当接する座板部１０とからなり、座板部が金属製である構成からなる。【選択図】図１
0003218346.tif 000002
【実用新案登録請求の範囲】
【請求項１】
コンクリートの打設作業に使用されるコンクリート打設用ホースの移動に使用される移動器具であって、上部にコンクリート打設用ホースを収納するための収納凹部を有し所要高さにコンクリート打設用ホースを保持する保持体と、前記保持体が配設された基台部とからなる枠体と、前記基台部の下側面に敷設された座板部とからなり、前記座板部が金属製であることを特徴とする移動器具。
【請求項２】
前記枠体と前記座板部とが、着脱自在に固定されていることを特徴とする請求項１に記載の移動器具。
【請求項３】
前記基台部の両端に配設された一対の保持体の高さが違うことを特徴とする請求項１または請求項２に記載の移動器具。
【考案の詳細な説明】
【技術分野】
【０００１】
本考案は、コンクリート打設用ホースの移動器具に関するものであり、より詳細には、コンクリートの打設作業現場において、コンクリートを供給元から圧送管で圧送し、打設現場近傍で圧送管先端部に接続して使用するコンクリート打設用ホースの移動器具に関する。
【背景技術】
【０００２】
従来から、コンクリートを高所や広範囲の打設現場に打設する際には、まず、ミキサー車からコンクリートポンプ車のホッパにコンクリートを供給し、さらに、コンクリートポンプ車に接続した圧送管をスラブ鉄筋の上に配設し、その圧送管先端部に接続したコンクリート打設用ホースからコンクリートを吐出させ、コンクリートを所用箇所に打設している。
【０００３】
この場合、広範囲の打設箇所にコンクリート打設用ホースの先端部を合わせるためにコンクリート打設用ホースを都度移動する必要が生じる。しかし、コンクリート打設用ホースは重量が大きいために、作業員がコンクリート打設用ホースを持ち上げて移動することは容易ではなく、スラブ鉄筋上などを引きずりながら移動させることとなっていた。
【０００４】
ところが、コンクリート打設用ホースをスラブ鉄筋上で引きずりながら移動させると、コンクリート打設用ホース自体が摩耗し破損する問題や、コンクリート打設用ホースにスラブ鉄筋が引っ張られて変形し、結束線が破損してしまうなどの問題もあった。
【０００５】
そこで、このような問題に対して以前は、スラブ鉄筋上に角材あるいは古タイヤなどの部材を配置し、コンクリート打設用ホースが直接スラブ鉄筋に当接することを防止していた。しかしながら、その従来手段では、作業中に角材あるいは古タイヤなどからコンクリート打設用ホースが外れてずり落ちるなど、広範囲の打設箇所で頻繁にコンクリート打設用ホースを移動する必要がある場合においては、作業性が非常に悪い問題があった。
【０００６】
そこで、このような問題に対応するために、特許文献１には、ホースを収納するための収容凹部が上端に形成された器具本体と、この器具本体の外面下側を覆うようにこの器具本体の底部に嵌着された樹脂製の下側スライド面（座板部）を有するように形成されたホース移動用器具（移動器具）が開示されている。
【先行技術文献】
【特許文献】
【０００７】
【特許文献１】登録実用新案３１９２８５６号公報
【考案の概要】
【考案が解決しようとする課題】
【０００８】
しかしながら、上記特許文献１に記載のコンクリート打設用ホースの移動器具は、座板部が繊維強化プラスチックなどの樹脂製であり、また、コンクリート打設用ホースは重量が大きく、広範囲の打設現場で使用する場合はコンクリート打設用ホースを頻繁に移動することから、コンクリート打設用ホースの移動器具の座板部は、スラブ鉄筋に当接することで激しく摩耗することになり、移動器具は、寿命が短く経済的でない問題がある。
【０００９】
本考案は、上記課題を鑑みてなされたものであり、その具体的目的は、広範囲の打設現場で使用する場合において、コンクリート打設用ホースを頻繁に移動しても移動用器具の座板部の摩耗が少なく、寿命が長く経済的な移動器具を提供することにある。
【課題を解決するための手段】
【００１０】
本考案は、上記目的を達成するために案出されたものである。詳述するならば、コンクリートの打設作業に使用されるコンクリート打設用ホースの移動器具であって、上部にコンクリート打設用ホースを収納し所要高さに保持する保持体と、該保持体を配設された基台部とからなる枠体と、前記基台部の下側面に敷設されスラブ鉄筋に当接する浅い皿状の座板部とからなり、前記座板部が金属製である構成が含まれる。
【００１１】
本考案のコンクリート打設用ホースの移動器具は、座板部が金属製であることから、広範囲の打設現場でコンクリート打設用ホースを頻繁に移動してスラブ鉄筋上をひきずっても、樹脂製の従来品に比べ座板部の摩耗が少なく、寿命が長くなる効果が得られる。
【００１２】
さらに説明すると、本考案には、前記枠体の所要位置に立設された取付け部と、前記座板部とが、取付け部材で結合され、着脱自在に固定されている構成が含まれる。
【００１３】
本考案によれば、座板部が摩耗や破損した場合には、座板部を取り外し修理もしくは交換が可能となり、枠体は再利用することで経済的効果が得られる。
【００１４】
また、本考案には、前記基台部のコンクリート打設用ホースを装着した状態でコンクリート打設用ホースの長さ方向の前後両端部に配設された一対の保持体の高さが違う構成が含まれる。
【００１５】
本考案によれば、作業者側の保持体の高さが、コンクリート供給元側の保持体の高さよりも高く設定してあることより、作業者がコンクリート打設用ホースを保持しやすく、作業性が向上する効果が得られる。
【考案の効果】
【００１６】
本考案の移動器具は、座板部が金属製であることから、広範囲の打設現場でコンクリート打設用ホースを頻繁に移動しても座板部の摩耗が少なく、寿命が長くなる効果があると同時に、枠体と座板部とが着脱自在な構成であることから、座板部を取り外し修理もしくは交換が可能となり、枠体は再利用することで従来品に比べ経済的に有利な効果が得られる。
【図面の簡単な説明】
【００１７】
【図１】本考案にかかるコンクリート打設用ホースの移動器具の使用状態を示す斜視図である。
【図２】コンクリート打設用ホースの移動器具を示す平面図である。
【図３】コンクリート打設用ホースの移動器具を示す側面図である。
【考案を実施するための形態】
【００１８】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
なお、本実施形態において、コンクリート打設用ホースを移動器具に装着した状態でコンクリート打設用ホースの長さ方向の先端側を移動器具の前側といい、コンクリート打設用ホースの供給元側を移動器具の後側という。また、コンクリート打設用ホースの長さ方向と垂直方向を移動器具の幅方向という。
【００１９】
図１に示されるように、本考案に係るコンクリート打設用ホースの移動器具１は、金属製の管材からなる枠体２と、その枠体２の下側面に敷設されスラブ鉄筋２０に当接する金属製の浅い皿形状の座板部１０とで構成されている。
【００２０】
また、図２に示されるように枠体２は、平面視略矩形状の無端環状体に形成された基台部４と、その基台部４の前後方向両端部に配設されコンクリート打設用ホースを保持する一対の保持体３ａ，３ｂと、基台部４の幅方向の外縁部であって基台部４の四隅近傍に其々立設された取付け部５とで構成されている。取付け部５には、ボルト６を挿通可能な貫通孔５ａが形成されている。
【００２１】
さらに、図３に示されるように保持体３ａは、コンクリート打設用ホース３０を収納する収納凹部３１とコンクリート打設用ホースを所要高さに保持する脚部３２とからなり、全体形状が側面視略M字形状に形成されている。
【００２２】
脚部３２の高さは、前後一対の保持体３ａ，３ｂで同一の高さに設定しても良いし、コンクリート打設用ホースの先端側の保持体３ａをコンクリート供給元側の保持体３ｂより高く設定しても良い。
【００２３】
座板部１０は、図２及び図３に示されるように上面が開口し、スラブ鉄筋２０に当接する平面滑走部１０ａと、外方に湾曲して上昇する縁部１０ｂとで浅い皿状に形成され、また、座板部１０に枠体２を取付ける為の取付け孔が、縁部１０ｂの所要位置に形成されている。
【００２４】
座板部１０は、金属製の板材をプレス加工や切削加工したものを溶接し形成され、その材料としては、ステンレス合金、アルミニウム合金等の他の金属からなる板材を使用すればよい。
【００２５】
また、枠体２も座板部１０と同様に、金属製の管材をプレス加工や切削加工したものを溶接し形成され、その材料としては、ステンレス合金、アルミニウム合金等の他の金属からなる材料を使用すればよい。
【００２６】
枠体２と座板部１０との組立は、座板部１０の取付け孔と枠体２の貫通孔５ａを合わせて、ボルト６とナット７によって締結固定する。また、収納凹部３１にコンクリート打設用ホース３０を収納し、脚部３２に係止するバンド４０で固定する。このように固定することで、コンクリート打設用ホース３０の脈動や、コンクリート打設用ホース３０を移動する際の振動で、コンクリート打設用ホース３０が移動器具１から脱落することを防止できる。
【００２７】
このように本考案のコンクリート打設用ホースの移動器具は、広範囲の打設現場で使用する場合において、コンクリート打設用ホースを頻繁に移動してもコンクリート打設用ホースの移動用器具の座板部の摩耗が少なく、寿命が長く経済的である効果がある。
【００２８】
以上のように、本考案を実施するための最良の構成、方法等は、上記記載で開示されているが、本考案は、これに限定されるものではない。例えば、上記実施形態では、枠体２及び、座板部１０は略矩形状として説明したが、矩形状に限定するものではなく、円形状や多角形状としても良い。
【符号の説明】
【００２９】
１    移動器具
２    枠体
３ａ，３ｂ    保持体
３１    収納凹部
３２    脚部
４    基台部
５    取付け部
５ａ    貫通孔
６    ボルト
７    ナット
１０    座板部
１０ａ    平面滑走部
１０ｂ    縁部
２０    鉄筋
３０    コンクリート打設用ホース
４０    バンド
【図１】
0003218346.tif 000003
【図２】
0003218346.tif 000004
【図３】
0003218346.tif 000005